(57)【要約】      （修正有）【課題】机の両サイドに設置するコントローラーをシンクロナイズし、それぞれ独立して操作する必要がなく、天板などの位置を便利に伸縮調整できる定位コントロール装置を提供する。【解決手段】主に第一コントローラー２及び第二コントローラー３で構成する定位コントロール装置である。同じ軸且つ異なるサイドに組立てた二つの伸縮物品をコントロールし、該装置は少なくとも第一コントローラーを第一伸縮物品１０に設置し、第二コントローラーは第二伸縮物品１１に設置する。第一及び第二コントローラーはそれぞれボルト２０を用いて伸縮物品の軸方向の位置を定位する。また、第一及び第二コントローラーとの間に一つの棒４を設置して連動し、且つ第一コントローラー内に一つのねじれ部品を設置する。第一コントローラーが紐によって駆動したあと、ボルトにより伸縮物品をロックする。紐を緩めると、ねじれ部品は元に戻る力により、ボルトが元の位置に戻り、伸縮物品のロックを解除する。【選択図】図２
0003164739.tif 000002
【実用新案登録請求の範囲】
【請求項１】
第一コントローラー、第二コントローラーを含み、
該第一コントローラーを第一伸縮物品に設置し、第一コントローラーに紐を接続し、該紐を通じて第一コントローラーを回転し、紐の別端は一つの駆動器を接続して紐を引っ張り、且つ第一コントローラー内にねじれ部品を設置し、該ねじれ部品の一端を第一コントローラーに、別端を第一伸縮物品に挿入し、第一コントローラーが駆動されると変形をし、
第二コントローラーを第二伸縮物品に設置し、第二コントローラー内に一つのねじれ部品を設置し、該ねじれ部品の一端を第二コントローラーに、別端を第二伸縮物品に挿入し、第二コントローラーが駆動されると変形をし、
棒は第一及び第二コントローラーに接続し、第一及び第二コントローラーと連動することを特徴とする定位コントロール装置。
【請求項２】
前記駆動器に設置部及び操作部を具有し、該設置部に少なくとも第一位置及び第二位置を設置し、操作部はそこで移動し、且つ第二位置は操作部を定置付けする定位部を具有することを特徴とする請求項1記載の定位コントロール装置。
【請求項３】
前記操作部は軸と設置部で構成する回転可能の形態のものであり、操作部の一端に接続部を設けて紐と接続し、別端は設置部の第一位置或いは第二位置に挿入することを特徴とする請求項２記載の定位コントロール装置。
【請求項４】
前記接続部と操作部の間に１８０度より小さい角度を具有することを特徴とする請求項３記載の定位コントロール装置。
【請求項５】
前記第一コントローラー２は第二伸縮物品１１の方向に向けて、棒を挿入する第一鞘２３を設置し、該第一鞘２３に第一干渉部品２３０を設け、反対側の第二コントローラー３も第一伸縮物品１０の方向に向けて、第一鞘２３と同じサイズの第二鞘３０を設置し、第二鞘３０にも第一干渉部品２３０と対応する第二干渉部品３００を設置し、
該棒４の両端に第一及び第二干渉部品２３０、３００と対応してそれぞれ切欠部４０を設け、該切欠部４０を第一及び第二干渉部品２３０、３００に嵌合することで、棒４と第一及び第二鞘２３、３０をより緊密に接続することを特徴とする請求項１記載の定位コントロール装置。
【請求項６】
前記第一コントローラー２は第二伸縮物品１１の方向に向けて、棒を挿入する第一鞘２３を設置し、該第二コントローラー３も第一伸縮物品１０の方向に向けて、第一鞘２３と同じ第二鞘３０を設置し、該第一及び第二鞘の形状は、円形ではない任意の幾何図形であり、該棒の両端はそれぞれ第一及び第二鞘にそれぞれ挿入することを特徴とする請求項１記載の定位コントロール装置。
【考案の詳細な説明】
【技術分野】
【０００１】
本考案は定位コントロール装置の構造に関し、特に伸縮できる物品を定位するコントロール装置を指し、該伸縮物品とは、例えば天板の高さを調整する定位コントロール装置の構造に関する。
【背景技術】
【０００２】
ユーザーのニーズに合わせて位置を調整できる形態にデザインされる物品がある。例えば椅子や天板の高さを、ユーザーが最適な位置で使用できるように調整できる。
【０００３】
天板の高さを調整するには、通常天板の底面に伸縮できるスタンドを設置する。伸縮できるスタンドを予定の高さに設定すると、定位装置を通じて天板を安定させて使用する。本考案者の申請済みの案件である第２００７−００１６３３号の実用新案登録出願の「伸縮調整する定位装置」が、伸縮スタンドを定位する一つの方法である。該特許申請案の技術は確かに定位することはできるが、更なる改善できるポイントがある。例えば伸縮をコントロール調整する定位構造をそれぞれスタンドの両側に設置されているため、操作する際にそれぞれ動かす必要があるが、同時に動かすことができない。また、定位構造の設置部位は天板の下方であり、操作する際にまず腰をかがめて、或いはしゃがんで定位を解除する必要がある。天板の高さの位置を確定したあと、再び腰をかがめて、或いはしゃがんでロックする必要があり、動作が煩雑且つ便利に使用できないため、更なる改善が必要であった。
【先行技術文献】
【特許文献】
【０００４】
【特許文献１】実願２００７−００１６３３号明細書
【考案の概要】
【考案が解決しようとする課題】
【０００５】
前記公知構造の欠点を解決するため、本考案は机の両サイドに設置するコントローラーをシンクロナイズし、それぞれ独立して操作する必要がなく、天板などの位置を便利に伸縮調整できるよう定位コントロール装置を提供することを主な課題とする。
【課題を解決するための手段】
【０００６】
前記課題を解決するために、本考案は定位コントロール装置を提供する。該装置は少なくとも第一コントローラーを第一伸縮物品に設置し、第二コントローラーを第二伸縮物品に設置する。第一及び第二コントローラーはそれぞれボルトを用いて伸縮物品の軸方向の位置を定位する。また、第一及び第二コントローラーとの間に一つの棒を設置して連動し、且つ第一コントローラー内に一つのねじれ部品を設置する。第一コントローラーが紐によって駆動したあと、ボルトにより伸縮物品がロックする。紐を緩めると、ねじれ部品は元に戻る力により、ボルトが元の位置に戻り、伸縮物品のロックを解除する。該伸縮物品は軸方向の位置調整を行うこともできる。
前記の実施方法で分かるように、第一コントローラーは第二コントローラーと連動して同時に作動することができ、また、第一コントローラーは紐によって駆動するため、紐の別端を天板にまで延伸するため、ユーザーが操作する際に、腰をかがめる或いはしゃがむことがなくなり、従来技術の欠点を改善することができる。
【０００７】
本考案は下記の特徴を有する。
（１）第一コントローラー、第二コントローラーを含み、
該第一コントローラーを第一伸縮物品に設置し、第一コントローラーに紐を接続し、該紐を通じて第一コントローラーを回転し、紐の別端は一つの駆動器を接続して紐を引っ張り、且つ第一コントローラー内にねじれ部品を設置し、該ねじれ部品の一端を第一コントローラーに、別端を第一伸縮物品に挿入し、第一コントローラーが駆動されると変形をし、
第二コントローラーを第二伸縮物品に設置し、第二コントローラー内に一つのねじれ部品を設置し、該ねじれ部品の一端を第二コントローラーに、別端を第二伸縮物品に挿入し、第二コントローラーが駆動されると変形をし、
棒は第一及び第二コントローラーに接続し、第一及び第二コントローラーと連動することを特徴とする定位コントロール装置。
（２）前記駆動器に設置部及び操作部を具有し、該設置部に少なくとも第一位置及び第二位置を設置し、操作部はそこで移動し、且つ第二位置は操作部を定置付けする定位部を具有することを特徴とする（１）記載の定位コントロール装置。
（３）前記操作部は軸と設置部で構成する回転可能の形態のものであり、操作部の一端に接続部を設けて紐と接続し、別端は設置部の第一位置或いは第二位置に挿入することを特徴とする（２）記載の定位コントロール装置。
（４）前記接続部と操作部の間に１８０度より小さい角度を具有することを特徴とする（３）記載の定位コントロール装置。
（５）前記第一コントローラー２は第二伸縮物品１１の方向に向けて、棒を挿入する第一鞘２３を設置し、該第一鞘２３に第一干渉部品２３０を設け、反対側の第二コントローラー３も第一伸縮物品１０の方向に向けて、第一鞘２３と同じサイズの第二鞘３０を設置し、第二鞘３０にも第一干渉部品２３０と対応する第二干渉部品３００を設置し、
該棒４の両端に第一及び第二干渉部品２３０、３００と対応してそれぞれ切欠部４０を設け、該切欠部４０を第一及び第二干渉部品２３０、３００に嵌合することで、棒４と第一及び第二鞘２３、３０をより緊密に接続することを特徴とする（１）記載の定位コントロール装置。
（６）前記第一コントローラー２は第二伸縮物品１１の方向に向けて、棒を挿入する第一鞘２３を設置し、該第二コントローラー３も第一伸縮物品１０の方向に向けて、第一鞘２３と同じ第二鞘３０を設置し、該第一及び第二鞘の形状は、円形ではない任意の幾何図形であり、該棒の両端はそれぞれ第一及び第二鞘にそれぞれ挿入することを特徴とする（１）記載の定位コントロール装置。
【考案の効果】
【０００８】
本考案は第一コントローラー及び第二コントローラーで構成し、紐を接続する。第一及び第二コントローラーはそれぞれボルトを用いて伸縮物品の軸方向の位置を定位し、操作部で紐を駆動すると、ボルトによって伸縮物品をロック或いは解除する。紐を設置することで、異なるサイドにある伸縮物品を同時に操作することができる。また、操作部を天板の縁に設置することで、ユーザーはしゃがむことなく、手元で調整することができる。
【図面の簡単な説明】
【０００９】
【図１】本考案を天板に応用する実施例の状態図である。
【図２】図１の前から見た参考図である。
【図３】本考案の第一コントローラーの構造、及び第一伸縮物品の対応関係図である。
【図４】本考案の第一コントローラーを第一伸縮物品に設置し、及び紐をコントロールする駆動器との接続状態図である。
【図５】本考案の駆動器を使って、第一コントローラーの回転を駆動する動作関係図である。
【図６】本考案における天板の高低位置を調整する状態図である。
【考案を実施するための形態】
【００１０】
図１から図４に示すように、本考案の定位コントロール装置は、同時に同じ軸の異なるサイドにある二つの伸縮物品１０、１１をコントロールする。例えば図にあるスタンドを天板の下方に設置し、天板１２を支えると同時に、天板１２の高さを適切に調整できる。
【実施例】
【００１１】
本考案に含まれるのは、第一コントローラー２及び第二コントローラー３である。該第一コントローラー２を第一伸縮物品１０に設置し、第二コントローラー３を第二伸縮物品１１に設置する。また、第一及び第二コントローラーの間に連動できる棒４を設置し、第一コントローラー２に紐５を接続し、該紐５によって、第一コントローラー２を動かす。紐５の別端は駆動器６と接続し、該駆動器６を天板１２に設置することができる。最適な位置は図１に示す天板１２の前の縁の底面であり、ユーザーが手元で操作できる。前記紐５の外部にパイプ５０を具有し、パイプ５０は紐５が外力を受けて破損しないよう保護するほか、紐５を予定の位置に定置付けしやすい役割を持つ。
【００１２】
図３に示すのは第一コントローラー２の構造であり、第一伸縮物品１０との組合せ方法である。第二コントローラー３と第二伸縮物品１１の構造及び組合せ方法も同じである。前記第一伸縮物品１０に設置孔１０１を具有し、ボルト２０を挿入することができ、第一コントローラー２を第一伸縮物品１０に設置し、回転できる形態を構成する。第一コントローラー２が駆動されて回転すると、ボルト２０を連動し、第一伸縮物品１０の内部に進入し、第一伸縮物品１０を予定の位置にロックする。ボルト２０と第一コントローラー２との連動関係は、本考案者が申請した特許申請案第２００７−００１６３３号にて言及しているため、ここで再度述べない。次に第一コントローラー２内に一つの固定部２１を具有し、ねじれ部品２２(例えばスプリングなど)を定置付けする。ねじれ部品２２の一端２２０を第一コントローラー２に挿入し、別端２２１を第一伸縮物品１０に挿入するため、第一コントローラー２を駆動したあとに該ねじれ部品２２はねじれ続ける。つまりこの状態がボルト２０を第一伸縮物品１０の予定位置にロックした状態である。
【００１３】
図４に示すように、第一コントローラー２を第一伸縮物品１０に設置し、該紐５と駆動器６との接続する状態をコントロールする。前記紐５の一端５１を第一コントロール２に接続し、別端５２は駆動器６と接続する。該駆動器６は設置部６１及び操作部６１を具有し、該設置部６１は少なくとも第一位置６０１及び第二位置６０２を設置して操作部６１がそこで移動する。該第二位置６０２は更に操作部６１を定置付けする定位部６０３を具有し、操作部６１は軸６１０と設置部６０を通じて回転できる形態を構成する。操作部６１の一端にある接続部６１１は紐５を接続し、別端６１２は設置部６０の第一位置６０１或いは第二位置６０２に入る。最良実施例では、該接続部６１１と操作部６１の間に、１８０度以下の角度を構成する。つまり接続部６１１と操作部６１は同じ軸ラインにない。同時に図５に示すように、操作部６１が第一位置６０１から第二位置６０２に移動する際、接続部６１１の位置が変わるために、紐５を引っ張り、それにより第一コントローラー２を回転させ、ボルト２０を第一伸縮物品１０の内部に向けて挿入し、第一伸縮物品１０を予定の位置にロックし、この時、操作部６１は設置部６０にある定位部６０３に固定する。逆に、操作部６１が設置部６０の第二位置６０２から第一位置６０１に移動したあと、紐５の第一コントローラー２を引っ張る力が弱くなり、同時に前記ねじれ部品２２が蓄積したエネルギーが放たれるために、第一コントローラー２が逆回転し、ボルト２０を第一伸縮物品１０のロックを解除する。図６に示すように、ユーザーは第一或いは第二伸縮物品１０、１１を予定するところに調整し、再度駆動器６の操作を行ってロックする。
【産業上の利用可能性】
【００１４】
前記第一伸縮物品１０と第二伸縮物品１１を実際図１に示す天板１２に応用する。天板１２の高さ調整は、第一及び第二伸縮物品１０、１１を連動するため、第一及び第二コントローラー２、３も連動することで、前記の定位操作を完成することができる。前述のように、第一及び第二コントローラー２、３の間に棒４を接続し、具体的な実施方法は、図１及び図４を同時に参照。前記第一コントローラー２は第二伸縮物品１１の方向に向けて、棒を挿入する第一鞘２３を設置し、該第一鞘２３に第一干渉部品２３０を設ける。反対側の第二コントローラー３も第一伸縮物品１０の方向に向けて、第一鞘２３と同じ第二鞘３０を設置し、第二鞘３０にも第一干渉部品２３０と対応する第二干渉部品３００を設置する。最良実施例では、第一及び第二鞘２３、３０の形状は、円形以外の如何なる幾何図形とする。前記棒４の両端をそれぞれ第一及び第二鞘２３、３０に挿入し、第一コントローラー２を駆動すると、第二コントローラー３０を連動する。該棒４の両端に第一及び第二干渉部品２３０、３００と対応してそれぞれ切欠部４０を設け、該切欠部４０を第一及び第二干渉部品２３０、３００に嵌合することで、棒４と第一及び第二鞘２３、３０をより緊密に接続することになり、第一コントローラー２が駆動されて回転する際に、該棒４が空回りし、第二コントローラー３を連動する役割を無くすのを防止する。
【００１５】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００１６】
１０  第一伸縮物品
１１  第二伸縮物品
１２  天板
１０１  設置孔
２  第一コントローラー
２０  ボルト
２１  固定部
２２  ねじれ部品
２２０  ねじれ部品の一端
２２１  ねじれ部品の別端
２３  第一鞘
２３０  第一干渉部品
３  第二コントローラー
３０  第二鞘
３００  第二干渉部品
４  棒
４０  切欠口
５  紐
５０  パイプ
５１  紐の一端
５２  紐の別端
６  駆動器
６０  設置部
６０１  設置部第一位置
６０２  設置部第二位置
６０３  定位部
６１  操作部
６１１  接続部
６１２  操作部別端
６１０  軸
【図１】
0003164739.tif 000003
【図２】
0003164739.tif 000004
【図３】
0003164739.tif 000005
【図４】
0003164739.tif 000006
【図５】
0003164739.tif 000007
【図６】
0003164739.tif 000008